(57)【特許請求の範囲】
【請求項１】
照明装置のためのコネクタプラグであって、
前記照明装置を機械的に前記コネクタプラグに結合するための固定配置と、
前記コネクタプラグに結合された前記照明装置に電力を輸送する及び前記コネクタプラグに結合された前記照明装置とデータを通信するための電子接点であって、前記電子接点は、ユニバーサル・シリアル・バス（ＵＳＢ）型の接点又はモジュラー・コネクタ型の接点であり、ケーブルに電気的に接続されるように配されている、電子接点と、
前記コネクタプラグに結合されている前記照明装置から熱を受け取る熱受容インターフェースと、前記熱受容インターフェースを介して受け取られた前記熱の少なくとも一部を放散させる熱放散インターフェースを有するヒートシンクと、
を有するコネクタプラグ。
【請求項２】
前記ヒートシンクは、前記熱受容インターフェースから前記熱放散インターフェースまで熱を伝導するための少なくとも１Ｗ／（ｍＫ）の熱伝導率を有する材料を有する、請求項１に記載のコネクタプラグ。
【請求項３】
前記熱放散インターフェースは、１つ以上のフィンを有する、請求項１又は２に記載のコネクタプラグ。
【請求項４】
前記固定配置は、ポジティブ・ロック型である、請求項１乃至３の何れか一項に記載のコネクタプラグ。
【請求項５】
前記ヒートシンクはスリーブとして形成される、請求項１乃至４の何れか一項に記載のコネクタプラグ。
【請求項６】
前記スリーブはカバー層によって覆われている、請求項５に記載のコネクタプラグ。
【請求項７】
前記照明装置を駆動する駆動電子部品を更に有する、請求項１乃至６の何れか一項に記載のコネクタプラグ。
【請求項８】
前記ケーブル及び前記固定配置は前記照明装置を懸架している、請求項１乃至７の何れか一項に記載のコネクタプラグ。
【請求項９】
請求項１乃至８の何れか一項に記載のコネクタプラグに結合する照明装置であって、
前記コネクタプラグに前記照明装置を機械的に結合させるための固定配置と、
前記コネクタプラグから電力を受け取る及び前記コネクタプラグとデータを通信するための電子接点であって、前記電子接点は、ユニバーサル・シリアル・バス（ＵＳＢ）型の接点又はモジュラー・コネクタ型の接点である、電子接点と、
前記照明装置により生成される熱を前記コネクタプラグに輸送する熱放散インターフェースと、
を有するコネクタ・ポート配置を有する前記照明装置。
【請求項１０】
少なくとも１つの固体光源を更に有する、請求項９に記載の照明装置。
【請求項１１】
請求項１乃至８の何れか一項に記載のコネクタプラグと、前記コネクタプラグへの接続に適応している請求項９又は１０に記載の照明装置とを有する照明システム。
【請求項１２】
前記コネクタプラグの前記熱受容インターフェースは、前記照明装置の前記熱放散インターフェースと直接的に接触する、請求項１１に記載の照明システム。
【発明の詳細な説明】
【技術分野】
【０００１】
本発明は、一般には、照明器具又は光モジュールのような、照明装置に電力を供給するためのコネクタプラグの分野に関する。
【背景技術】
【０００２】
照明器具又は照明モジュールのような、照明装置のための、ソケットのような、コネクタ装置には、前記照明装置を支持する及び前記照明装置に電力を供給する目的を有する。ソケットは、前記照明装置を前記ソケットに機械的に結合するための固定配置、及び前記照明装置に電力を供給するための電子接点を有する。これに応じて、照明装置は、固定配置及び電子接点は、前記ソケットの前記固定配置及び電子接点と嵌合するために適応化された固定配置及び電子接点を有する。通常、ソケットは標準化されており、異なる製造者の照明装置及びソケットの嵌合を可能にする。標準的なソケット配置は、例えば、ネジ型ソケット及び２ピン型（bi-pin type）ソケットを含む。
【発明の概要】
【発明が解決しようとする課題】
【０００３】
現代の照明装置の技術、例えば固体（例えば発光ダイオード、ＬＥＤ）ベースの照明装置は、しばしば、前記照明装置のより長い寿命を促進するための冷却を必要とする。通常、このような技術に基づく照明装置は、前記照明装置からの熱の放散のためのヒートシンクを有する。しかしながら、このようなヒートシンクは、時々、前記照明装置からの許容可能な熱放散を達成するのに十分なものではないことがあり、特に、Ｇ４及びＧ９型のＬＥＤベースの照明装置のような、前記照明装置の小さい寸法により限られた熱放散面を有する比較的小さいＬＥＤベースの照明装置の場合であり得る。
【課題を解決するための手段】
【０００４】
上述の不利な点を克服する又は少なくとも軽減するコネクタ装置及び照明装置を達成することが有利であり得る。特に、従来技術と比較して照明装置のための代替的なコネクタ装置を使用可能にすることが望ましい。更に、前記照明装置からの熱放散を向上させる照明装置のためのコネクタ装置を使用可能にすることが望ましい。
【０００５】
これらの懸案事項の１つ以上に良好に対処するために、添付の独立請求項に規定されるフィーチャを有するコネクタプラグ及び照明装置が、提供される。好ましい実施例は、添付の従属請求項に規定される。
【０００６】
従って、１つの見地によれば、照明装置のためのコネクタプラグが提供される。前記コネクタプラグは、前記照明装置を前記コネクタプラグに機械的に結合させるための固定配置と、前記コネクタプラグに結合された前記照明装置に電力を輸送する及び前記コネクタプラグに結合された前記照明装置とデータを通信するように配された電子接点とを有する。更に、前記コネクタプラグは、前記コネクタプラグに結合されている前記照明装置からの熱を受容する熱受容インターフェースと、前記熱受容インターフェースを介して受け取られた熱の少なくとも一部を放散させる熱放散インターフェースとを持つヒートシンクを有する。
【０００７】
更なる見地によれば、先の見地において規定されたコネクタプラグに対する結合のための照明装置が提供される。前記照明装置は、前記照明装置を前記コネクタプラグに機械的に結合させる固定配置を有するコネクタ・ポート配置と、前記コネクタプラグから電力を受け取る及び前記コネクタプラグとデータを通信する電子接点とを有する。更に、前記コネクタ・ポート配置は、前記照明装置により生成される熱を前記コネクタプラグに輸送する熱放散インターフェースを有する。従って、前記コネクタプラグは、前記照明装置の前記コネクタ・ポート配置内に挿入可能であっても良い。
【０００８】
本見地は、前記照明装置からの熱を放散させるための前記コネクタプラグを利用する概念に基づいており、これにより前記照明装置からの全体的な熱放散は増大し、前記照明装置のより長い寿命を増進する。前記照明装置によって（例えば、１つ以上の光源及び／又は前記照明装置の駆動電子部品によって）生成される熱は、前記照明装置の前記熱放散インターフェース（熱放散面とも称され得る）を介して、前記コネクタプラグの前記ヒートシンクの前記熱受容インターフェース（熱受容面とも称され得る）へと輸送されることができる。前記熱は、前記コネクタプラグの前記ヒートシンクの前記熱放散インターフェース（熱放散面とも称され得る）によって、周囲へと又は外部のヒートシンクへと輸送され放散される。本発明者らは、電力及びデータを輸送することができるコネクタが通常比較的小さい大きさであるので、このようなコネクタが、例えば、前記周囲に面している限られた熱放散域を有する比較的小型の照明装置に対して有利に使用されることができることを実現した。本見地によれば、前記コネクタプラグによる前記照明装置からの向上された熱放散は、このような小型の照明装置に対する全体的な熱放散領域を増大させる。しかしながら、本見地は、如何なる大きさの照明装置にも適用されることができることはいうまでもない。
【０００９】
実施例によれば、前記コネクタプラグの前記電子接点及び／又は前記照明装置の前記電子接点は、ユニバーサル・シリアル・バス（ＵＳＢ）型の接点又はモジュラー・コネクタ型の接点であっても良い。これらの標準的な接点の型を有するコネクタは、例えば標準的なネジ型のソケットと比較して、通常、大きさが小さい。しかしながら、従来のＵＳＢ及びモジュラー・コネクタは、このようなコネクタは、ＰＶＣ（ポリ塩化ビニル）のような材料によって熱的に絶縁され如何なる冷却手段も有していないので、前記コネクタに接続された前記装置により生成される何らかの有意な熱量を放散させることができない。本実施例によれば、熱放散が、前記コネクタプラグの前記ヒートシンクの前記コンフィギュレーションにより向上され、これにより前記ＵＳＢ又はモジュラー型のコネクタは、前記照明装置に電力を供給する及び（任意に）前記照明装置とデータを通信するために使用されることができる。前記ＵＳＢ型の接点は、例えば、ＵＳＢ規格：タイプＡ、タイプＢ、ミニＡ、ミニＢ、マイクロＡ及びマイクロＢの何れか１つによるものであり得る。前記モジュラー・コネクタ型の接点は、規格：カテゴリ６（ＣＡＴ―６）、カテゴリ５（ＣＡＴ―５）、カテゴリ５ｅ（ＣＡＴ―５ｅ）、１０Ｐ１０Ｃ、８Ｐ８Ｃ、６Ｐ６Ｃ、６Ｐ４Ｃ及び４Ｐ４Ｃの何れか１つによるものであり得る。
【００１０】
モジュラー型コネクタは、「モジュラー電話ジャック／プラグ」、「ＲＪコネクタ」及び「ウエスタン・ジャッック／プラグ」とも称され得る。「モジュラー型コネクタ」なる語は、電話装置をよりモジュラー式にするために設計されたケーブルの新規なシステムにおける本来の使用に起因している。物理的コネクタ自体を参照するためにRegistered jack番号を使用することが、一般的である。例えば、モジュラー・コネクタ型はしばしばＲＪ４５と称される。この名前のRegistered jack規格が８Ｐ８Ｃモジュラー・コネクタの初期のユーザであったからである。従来の８Ｐ８Ｃモジュラー・コネクタは、例えば、ツイスト・ペア上のイーサネット（登録商標）に対して現在使用されている。更に、４Ｐ４Ｃコネクタは、ＲＪ９又はＲＪ２２、及びＲＪ１１のような様々な６Ｐコネクタと称されることができる。
【００１１】
実施例によれば、前記コネクタプラグの前記ヒートシンクは、前記熱受容インターフェースから前記熱放散インターフェースまで熱を伝導するために、金属、セラミック、シリコン及び／又は熱プラスチックのような、少なくとも１Ｗ／（ｍＫ）の熱伝導率を有する材料を有することができる。前記ヒートシンクは、例えば、金属の固体片又は埋め込まれた金属片（又はチップ若しくは粒子）を備える熱的絶縁材料を有することができる。更に、前記ヒートシンクは、前記照明装置の冷却を改善する１つ以上のヒートパイプを有することができる。本実施例によれば、前記ヒートシンクの材料は、前記コネクタプラグを介した前記照明装置からの熱放散を向上させる。
【００１２】
任意には、前記照明装置は、前記照明装置により生成される熱を吸収するのに適応化されているヒートシンクを有することができ、前記照明装置の前記熱放散インターフェースは、前記照明装置の前記ヒートシンクの表面の一部によって（少なくとも部分的に）形成されることができる。前記照明装置の前記ヒートシンクは、前記照明装置により生成される熱を前記照明装置の前記ヒートシンクの前記熱放散インターフェースに伝導するための金属を有することができる。しかしながら、前記照明装置の前記熱放散インターフェースは、前記照明装置により生成される熱を輸送することができる前記照明装置の何らかの構成要素の表面であっても良い。例えば、前記照明装置の前記熱放散表面は、（付加的に又は代替的に）前記電子接点によって（少なくとも部分的に）形成されることができる。更に、前記照明装置の前記熱放散インターフェースは、前記照明装置の光学要素（例えばリフレクタ及びコリメータ等）の表面の一部であっても良い。
【００１３】
実施例によれば、前記コネクタプラグの前記ヒートシンクの前記熱放散インターフェースは、１つ以上のフィン（又はウィング）を有することができる。当該フィンは、前記熱放散領域を増大させ、これにより前記照明装置の冷却が向上される。
【００１４】
実施例によれば、前記コネクタプラグの前記熱放散インターフェースは、レフレクタ及び／又はコリメータのような、光学要素を有することもでき、これにより前記コネクタプラグに光学機能を付加する。
【００１５】
実施例によれば、前記コネクタプラグの前記固定配置は、差し込みピン型及び／又はスナップフィット型のような、ポジティブ・ロック型（a positive lock type）であっても良い。これに応じて、前記照明装置の前記固定配置は、差し込みピン型及び／又はスナップフィット型のような、ポジティブ・ロック型であっても良く、好ましくは前記コネクタプラグの前記固定配置と篏合するように適応化されていても良い。本実施例は、前記固定配置が、例えば、標準的なＵＳＢコネクタの摩擦を固定機構と比べてより厳密なものであり、前記コネクタプラグ及び前記照明装置の予想外の分離のリスクを低減させることにおいて、有利である。例えば、本固定配置は、前記コネクタプラグ内の前記照明装置の懸架を可能にすることができる。
【００１６】
実施例によれば、前記ヒートシンクは、スリーブとして形成される。このことは、前記照明装置と前記コネクタプラグとの間の改善された熱伝達の単純な解決案を提供する。更なる実施例において、前記スリーブは、カバー層によって覆われる。前記カバー層は、前記コネクタプラグの改善された取扱いを提供することができる及び／又はユーザを前記ヒートシンクの場合によっては熱い又は暖かいスリーブに直接的に接触することから保護することができる。
【００１７】
実施例によれば、前記コネクタプラグは、前記照明装置を駆動する駆動電子部品を更に有することができる。従って、前記照明装置を駆動する前記駆動電子部品の少なくとも一部は、必ずしも前記照明装置内に位置されるのではなく、代わりに前記コネクタプラグ内に位置されることもできる。本実施例は、前記照明装置のより取り除かれた（より複雑でない）設計を可能にする。更に、前記駆動電子部品を前記照明装置の前記光源から分離することは、駆動電子部品が典型的にはかなり熱に影響されるものであり、前記照明装置において、生成される熱の大部分は前記光源により生成されるために、有利である。前記駆動電子部品は、例えば、前記照明装置の光源を制御する回路を有することができる。任意には、センサ、調光回路等のような、前記照明装置に関連する他のフィーチャが、前記コネクタプラグ内に位置されることができる。
【００１８】
実施例によれば、前記コネクタプラグは、更に、前記電子接点に電気的に接続されるように配されるケーブルを含むことができ、前記ケーブルは、電力及びデータを輸送するように配されることができる。更に、前記ケーブル及び前記固定配置（例えば、前記ケーブル及び前記固定配置の寸法及び剛性）は、前記照明装置を懸架するために適応化されることができる。従って、前記電力及びデータを供給するために使用される前記ケーブルは、更に、例えば、天井における、前記照明装置の懸架に使用されることができる。更に、前記ケーブルは電磁干渉（ＥＭＩ）遮蔽を有することができ、電磁干渉（ＥＭＩ）遮蔽は、絡まった金属ストリングを有し得て、前記コネクタプラグの付加的なヒートシンクとして機能し得る。
【００１９】
実施例によれば、前記照明装置は、１つ以上の発光ダイオード（ＬＥＤ）のような、少なくとも１つの固体光源を更に有することができる。固体光源は、典型的には、従来の白熱光源と比較して許容可能な寿命を達成するために前記照明装置の冷却に対する高い要求を与えている。固体光源は、通常、白熱光源より少ない熱を生成するが、固体光源により生成される前記熱は、（白熱光源における場合のように）輻射によって放散させることができず、一般に、伝導及び対流のみによって放散される。本実施例によれば、前記照明装置からの熱放散は、前記コネクタプラグにより増大される。
【００２０】
実施例によれば、照明システムが提供されることができる。当該照明システムは、上述の実施例の何れか１つにおいて、規定されるネクタプラグ、及び上述の実施例の何れか１つにおいて規定される照明装置であって、前記コネクタプラグへの接続に適応化されている照明装置を含むことができる。
【００２１】
実施例によれば、前記コネクタプラグの前記熱受容インターフェースは、前記照明装置の前記熱放散インターフェースと直接的に（物理的に）接触しているように配されることができ、これにより前記照明装置から前記コネクタプラグへの熱輸送は向上され、次いで、前記照明装置の冷却を改善する。例えば、前記照明装置の前記熱放散インターフェースの及び前記コネクタプラグの前記熱受容インターフェースの前記位置及び表面構造は、物理的接触を提供するように互いに篏合するように適応化されることができる。
【００２２】
本発明の実施例は、添付の請求項において、列挙されているフィーチャの全てのあり得る組合せに関することに留意されたい。当業者であれば、本発明の異なるフィーチャが前記以下に記載されているもの以外の実施例を作成するために組み合わせられても良いと理解するであろう。
【００２３】
これら又は他の見地は、前記添付の図面を参照して更に詳細に記載される。
【図面の簡単な説明】
【００２４】
【図１】実施例による照明装置及びコネクタプラグの照明システムを示している。
【図２】他の実施例による照明装置及びコネクタプラグの照明システムを示している。
【図３】更に他の実施例による照明装置及びコネクタプラグの照明システムを示している。
【図４】更に他の実施例による複数の照明装置及びコネクタプラグの照明システムを示している。
【図５】更に他の実施例による照明装置及びコネクタプラグの照明システムを示している。
【図６】実施例によるコネクタプラグを示している。
【図７】図６に示されている前記コネクタプラグの断面を示している。
【図８】図６に示されている前記コネクタプラグにより懸架される照明装置の照明システムを示している。
【発明を実施するための形態】
【００２５】
全ての図は、模式的であり、必ずしも縮尺で描かれているわけではなく、全体的に前記実施例を説明するために必要な部分のみを示しており、他の部分は、省略される又は単に提案されることができるのみである。類似の符号は、本明細書全体にわたって類似の要素を参照している。当該図面における他の部分によって隠れている部分は、点線で示されている。
【００２６】
実施例による照明システムが、図１を参照して記載される。図１は、照明器具１２又は照明モジュールのような照明装置１２と、照明装置１２に電力及び（任意に）データを供給するためのコネクタプラグ１１とを有する照明システム１を示している。例えば、データは、照明装置１２を制御するためのコネクタプラグ１１を介して照明装置１２に送信されることができる。更に、データは、例えば、照明装置１２に関する動作情報を取得するための、前記コネクタ・ポートを介して照明装置１２から送信されることができる。本例では、コネクタプラグ１１は、ユニバーサル・シリアル・バス（ＵＳＢ）型のコネクタプラグであり、前記照明装置はコネクタプラグ１１を収容するのに適応化されたＵＳＢコネクタ・ポート１４を有する。照明装置１２は、例えば、バルブ型の照明装置１２であっても良い。コネクタプラグ１１は、照明装置１２をコネクタプラグ１１に機械的に結合する（固定する）ように照明装置１２の固定配置と嵌合するのに適応化されている固定配置１３（図示略）を有する。本例において、照明装置１２及び前記コネクタプラグの前記固定配置は、（好ましくは着脱可能な）スナップフィット接続を有する。例えば、前記スナップフィット接続は、照明装置１２とコネクタプラグ１１との間の機械的接続を係止するように（例えば照明装置１２のコネクタ・ポート１４内で）コネクタプラグ１１及び照明装置１２の一方に配されるホックと、コネクタプラグ１１及び照明装置１２の他方に配される前記ホックと篏合するように適応化されている凹部とを有することができる。
【００２７】
コネクタプラグ１１は、更にヒートシンク１７を有し、ヒートシンク１７の外面は、周囲に向かっての熱放散インターフェースを形成する。更に、ヒートシンク１７は、例えば、ヒートシンク１７のコアを介して、前記熱放散インターフェースと熱的に接続している熱受容インターフェース１８を有する。ヒートシンク１７は、熱受容インターフェース１８から前記熱放散インターフェースまで熱経路を提供するために金属を有することができる。照明装置１２は、照明装置１２により生成される熱を放散させることができる熱放散インターフェース１９を有する。このような熱は、例えば、発光ダイオード（ＬＥＤ）のような１つ以上の光源によって、及び／又は前記照明装置１２内に含まれる駆動電子部品によって生成されることができる。照明装置１２の熱放散インターフェース１９は、例えば、ポート１４の及び／若しくは照明装置１２のヒートシンクの（図示略）又は照明装置１２内で生成される熱を吸収する（及び伝導する）ことができる照明装置１２の何らかの構成要素の、表面部であり得る。照明装置１２の熱放散インターフェース１９及びコネクタプラグ１１の熱受容インターフェース１８は、照明装置１２がコネクタプラグ１１に結合される場合に熱がこの間で輸送されることができるように配される。好ましくは、照明装置１２の熱放散インターフェース１９及びコネクタプラグ１１の熱受容インターフェース１８は、照明装置１２がコネクタプラグ１１に結合する場合にこの間の物理的接触を提供するように互いに篏合するように適応化されている。
【００２８】
コネクタプラグ１１は、更に、電力を供給する及びデータを通信するための電子接点１５と電子接点１６に電気的に接続されているケーブル１６とを有する。照明装置１２は、コネクタプラグ１１が照明装置１２に結合された場合に、コネクタプラグ１１の電子接点１５と篏合するように適応化されている（例えば、ポート１４内に配されている）、対応する電子接点（図示略）を有することができる。本例においては、照明装置１２及びコネクタプラグ１１の電子接点は、ＵＳＢ型の電子接点である。
【００２９】
コネクタプラグ１１は、前記固定配置（前記スナップフィット機構）が照明装置１２をコネクタプラグ１１に係止するようにコネクタプラグ１１をポート１４に挿入することによって、照明装置１２に結合されることができ、これにより照明装置１２及びコネクタプラグ１１の電子接点は電気的に接続され、電力（及び任意にはデータ）が照明装置１２に供給されることができる。照明装置１２がスイッチを入れられた場合、熱が照明装置１２の構成要素により生成され、当該熱は、照明装置１２の熱放散インターフェース１９を介して、コネクタプラグ１１の熱受容インターフェース１８まで伝導され、次いで更に、コネクタプラグ１１のヒートシンク１７のコアを介して、コネクタプラグ１１の熱放散インターフェース（即ちヒートシンク１７の外面）まで伝導され、当該熱は周囲に放散される。このようにして、照明装置１２は、コネクタプラグ１１により冷却される。
【００３０】
任意には、照明装置１２を駆動する駆動電子部品及び／又は照明装置１２を制御する／モニタする他の構成要素（例えばセンサ）は、コネクタプラグ１２内に配されることができる。
【００３１】
以下において、更なる実施例によるシステム及び装置が後述されるが、当該装置は、原則として、図１を参照して記載された前記システム及び装置と同様に構成されることができ、上述したのと同じ原理に従って動作する。以下に記載される様々なフィーチャは、図１を参照して記載された前記実施例と互いに組み合わされることができることはいうまでもない。
【００３２】
図２は、実施例による照明装置２２及びコネクタプラグ２１を有する照明システム２を示している。本例において、コネクタプラグ２１の電子接点２５及び照明装置２２の対応する電子接点は、ミニＵＳＢ接点であり、特に、小さい照明装置に対して有利であり得る。本例において、照明装置２２は、ミニＵＳＢ型のコネクタプラグ２１への接続に対して互換性のあるポート２４を持つＧ４又はＧ９型の照明装置であり得る。更に、コネクタプラグ２１のヒートシンクは、照明装置２２の部分２９を包囲するのに適応化されているスリーブ２７の内側における熱受容インターフェース２８を有するスリーブ２７として形成されることができる。スリーブ２７により包囲される照明装置２２の部分２９の外面は、照明装置２２の熱放散インターフェース２８（の少なくとも一部）を形成することができる。更に、スリーブ２７の外側（又は外面）は、コネクタプラグ２２の熱放散インターフェースを形成することもできる。スリーブ２７は、コネクタプラグ２２の端部部分からコネクタプラグ２１のケーブル２６の一部に沿って実質的に延在することができる。本例において、照明装置２２により生成される熱は、コネクタプラグ２１のスリーブ２７に伝導され、コネクタプラグ２１のスリーブ２７により放散される。
【００３３】
図３は、他の実施例による照明装置３２及びコネクタプラグ３１を有する照明システム３を示している。本例において、コネクタプラグ３１のヒートシンクは、任意には可撓性のカバー３３によって覆われている、可撓性の金属ホイル３７を有し得る。ホイル３７（及びカバー３３）は、ひだをつけられ（又は湾曲され）ケーブル３６の一部に沿って延在することができる。本例において、コネクタプラグ３１は、ＵＳＢ電子接点３５を持つＵＳＢコネクタプラグであり、照明装置３２は、対応するＵＳＢコネクタ・ポート３４を有することができる。コネクタプラグ３１と照明装置３２との間の熱インターフェースは、例えば、ＵＳＢプラグ／ポート・インタフェースに設けられることが可能である。更に、本例において、照明装置３２は、（例えば型Ｌ２の）ＬＥＤ３８と、ＬＥＤ３８に光学的に結合されている光ガイド３９とを有する。光ガイド３９は、光ガイド３９内で伝播する光を発する光導出結合表面を有することができる。本例において、照明装置３１により生成される熱は、前記プラグ／ポート・インタフェースを介して伝導され、次いでコネクタプラグ３１の金属ホイル３７及びカバー３３を介して放散される。
【００３４】
図４は、実施例によるコネクタプラグ４１に接続された複数の照明装置４２を有する照明システム４を示している。照明装置４２は、（図４に示されたような）光ガイド、並びに／又はリフレクタ、全内部反射（ＴＩＲ）コリメータ及び／若しくはレンズ（図示略）のような他の光学要素を有することができる。本例において、コネクタプラグ４１は、好ましくは金属でできている、ヒートシンク・ブロック４７を有することができる。ブロック４７は、コネクタプラグ４１の熱放散領域を増大させるための１つ以上のフィン４８を有することができる。コネクタプラグ４１は、内部にコネクタプラグ４１の電子接点が配されることができる１つ以上のポート４４を有することができる。照明装置４２は、ポート４４内への挿入のためのプラグ４３を含むことができる。照明装置４２の電子接点は、プラグ４３内に配されることができる。本例において、照明装置４２により生成される熱は、コネクタプラグ４１の後ろ４７を経て放散される。
【００３５】
図５は、他の実施例による照明装置５２及びコネクタプラグ５１を有する照明システム５を示している。本例において、コネクタプラグ５１は、スナップフィット固定配置５３を持つカテゴリ５（ＣＡＴ―５）接点を有し、照明装置５２は、嵌合スナップフィット固定配置を備える対応するＣＡＴ―５コネクタ・ポート５６を有する。照明装置５２は、更に、照明装置５２の突起部分５５を形成すると共に熱放散インターフェース５９を持っているヒートシンクを有する。コネクタプラグ５１は、照明装置５２がコネクタプラグ５１に結合される場合に、照明装置５２の熱放散インターフェース５９がコネクタプラグ５１の熱受容インターフェース５４と重なる及びコネクタプラグ５１の熱受容インターフェース５４に直接的に接触するように配されている熱受容面５４を持つヒートシンク５７を有する。本例において、コネクタプラグ５１のヒートシンク５７は１つ以上のフィン（又はウィング）５８を有することができ、１つ以上のフィン（又はウィング）５８の表面はコネクタプラグ５１の熱放散インターフェース（の少なくとも一部）を形成する。任意には、フィン５８はひだをつけられることもできる。コネクタプラグ５１が照明装置５２に結合される場合、熱放散インターフェース５９はコネクタプラグ５１の熱受容インターフェース５４にわたる適所において摺動し、これにより熱は照明装置５２からコネクタプラグ５１まで伝導され、この後にフィン５８を介して放散されるようにされることができる。
【００３６】
図６は、実施例によるコネクタプラグ６１の斜視図である。図７は、図６に示されるコネクタプラグ６１の断面図を示している。本例において、コネクタプラグ６１は、ＣＡＴ―５又はＣＡＴ―６コネクタプラグのような、ＣＡＴ―ｘ型の接点であり、ＣＡＴ―ｘ電子接点６５を有する。電子接点６５は、ヒートシンク層６７及び外側カバー層６８を有するスリーブ６４によって少なくとも部分的に包囲されている。スリーブ６４の端部に、スナップフィット固定配置６３が配される。照明装置がコネクタプラグ６１に接続されている場合、前記照明装置の対応するＣＡＴ―ｘコネクタ・ポートは、コネクタプラグ６１の電子接点６５が照明装置（図示略）のコネクタ・ポートの前記電子接点と接触するようになるように、スリーブ６４内に挿入される。前記照明装置の前記コネクタ・ポートの外側は、次いで、スリーブ６４のヒートシンク層６７の内面と接触するようになることができ、これにより熱は、前記照明装置からコネクタプラグ６１のヒートシンク層６７まで伝導されることができる。前記熱は、次いで、ヒートシンク６７からカバー６８を介して周囲に放散されることができる。
【００３７】
図８は、照明装置６２に接続されている図６及び７を参照して記載されているコネクタプラグ６１を示している。コネクタプラグ６１のケーブル６６は、照明装置６２を懸架するために使用されることができる。任意には、コネクタプラグ６１は、照明装置６２により発される光を反射するように配されたリフレクタ６４を有する。
【００３８】
本発明の実施例が示され添付図面及び上述において、詳細に記載されたが、このような図例及び説明は、説明的なもの又は例示的なものとみなされるべきであり、限定的なものとみなされるべきではなく、本発明は、開示された実施例に限定されるものではない。例えば、前記固定配置は、差し込みピン型又は何らかの他の（好ましくは固い）固定配置の型であっても良い。更に、前記照明装置は、何らかの種類の固体照明装置又は放電ランプのような、如何なる種類の照明装置であっても良い。
【００３９】
開示された実施例に対する他の変更は、添付の図面、本明細書及び添付の特許請求の範囲の研究から、前記請求項に記載の発明を実施する際に当業者により理解され遂行されることができる。添付の請求項において、「有する」なる語は他の要素又はステップを排除するものではなく、単数形は複数形を排除するものではない。特定の手段が、相互に異なる従属請求項において、引用されているという単なる事実は、これらの手段の組み合わせが有利になるように使用されることができないと示すものではない。添付請求項における如何なる符号も、この範囲を制限するものとしてみなしてはならない。
【図１】
0006369876.tif 000002
【図２】
0006369876.tif 000003
【図３】
0006369876.tif 000004
【図４】
0006369876.tif 000005
【図５】
0006369876.tif 000006
【図６】
0006369876.tif 000007
【図７】
0006369876.tif 000008
【図８】
0006369876.tif 000009